(57)【要約】【課題】システムの規模に関わらずコストパフォーマンスが高く、且つ所望の動作を行うことができる制御システム、及び照明装置を提供する。【解決手段】１対の通信線３上に負荷Ｌ１〜Ｌｎ、入力端末機Ｔ１〜Ｔｍ、中継端末機Ｕ１の全ての端末機が接続し、負荷Ｌ１〜Ｌｎは交流電源１から電力線２を介して駆動電力が供給される。負荷Ｌ１，Ｌ２，Ｌｎ及び中継端末機Ｕ１は各々アドレスＡ１〜Ａ４を有している。入力端末機Ｔ１〜Ｔｍは、［開始符号］＋［宛先アドレス］＋［制御内容］＋［停止符号］からなる制御信号を通信線３を介して宛先アドレス宛に送信するもので、通信手段１０と、制御手段１１と、判断手段１２と、宛先アドレス記憶手段１３とからなり、マイクロコンピュータと実行プログラム等から構成される。【選択図】　　　　図１
2004063216.tif 000002
【特許請求の範囲】
【請求項１】
負荷と、負荷に通信媒体を介して接続された複数の端末機とを備え、前記端末機は、宛先の負荷を示すアドレス情報及び制御内容を示す制御情報を含む制御信号を負荷に送信し、且つ自機以外から負荷への制御信号を受信する通信手段と、前記アドレス情報を記憶しているアドレス記憶手段と、自機以外から負荷への制御信号を参照して自機の動作を判断する判断手段と、前記判断手段の判断結果に基づいて自機の動作を制御する制御手段とから構成されることを特徴とする制御システム。
【請求項２】
照明負荷と、照明負荷に通信媒体を介して接続された複数の端末機とを備え、前記端末機は、宛先の照明負荷を示すアドレス情報及び制御内容を示す制御情報を含む制御信号を照明負荷に送信し、且つ自機以外から照明負荷への制御信号を受信する通信手段と、前記アドレス情報を記憶しているアドレス記憶手段と、自機以外から照明負荷への制御信号を参照して自機の動作を判断する判断手段と、前記判断手段の判断結果に基づいて自機の動作を制御する制御手段とから構成されることを特徴とする照明装置。
【請求項３】
前記端末機は、外部の明るさを検出する明るさ入力手段を備え、前記制御手段は、前記明るさ入力手段の検出結果に基づいて照明負荷の出力を制御する明るさ制御を行うことを特徴とする請求項２記載の照明装置。
【請求項４】
照明負荷の点灯または消灯を指示する制御情報が定義されており、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が照明負荷の消灯を指示するものであれば自機からの明るさ制御を停止すると判断し、照明負荷の点灯を指示するものであれば自機からの明るさ制御を行うと判断することを特徴とする請求項３記載の照明装置。
【請求項５】
照明負荷を所定の調光レベルにする調光制御を指示する制御情報が定義されており、前記端末機は、明るさ制御の目標値を記憶する目標値記憶手段を備えて、前記制御手段は、前記明るさ入力手段の出力が前記目標値に一致するように明るさ制御を行い、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光制御を指示するものであれば、調光制御で指示された調光レベルを前記目標値に設定すると判断することを特徴とする請求項３記載の照明装置。
【請求項６】
前記端末機は、人の存在を検出する人検出手段と、前記人検出手段が人の存在を検出しなくなってからの経過時間をカウントするタイマ手段とを備え、前記制御手段は、前記人検出手段が人の存在を検出をしている間、及び人の存在を検出しなくなってから前記タイマ手段のカウント値が所定の値に達するまでの間は照明負荷を点灯させ、前記タイマ手段のカウント値が所定の値に達すると照明負荷を消灯させることを特徴とする請求項２記載の照明装置。
【請求項７】
照明負荷を所定の調光レベルにする調光制御を指示する制御情報が定義されており、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光制御を指示するものであれば、前記タイマ手段のカウント動作を停止して調光制御を行うと判断することを特徴とする請求項６記載の照明装置。
【請求項８】
照明負荷の調光レベルの上昇，下降を指示する制御情報が定義されており、前記端末機は、前記タイマ手段のカウンタ値をクリアするリトリガ手段を備え、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光レベルの上昇または下降を指示するものであれば、前記タイマ回路のカウント値をクリアすると判断することを特徴とする請求項６記載の照明装置。
【請求項９】
前記制御手段は、前記人検出手段が人の存在を検出している間は、他の端末機に対して前記タイマ手段のカウント値をリセットさせる信号を前記通信手段を介して出力することを特徴とする請求項６記載の照明装置。
【請求項１０】
前記制御手段は、制御する照明負荷の調光レベルを記憶する調光レベル記憶手段を備え、前記人検出手段が人の存在を検出している間は、前記調光レベル記憶手段に記憶している調光レベルに照明負荷を制御する調光信号を前記通信手段を介して照明負荷、及び他の端末機に対して出力し、他の端末機は前記調光信号を受信するとタイマ手段のカウント値をリセットすることを特徴とする請求項６記載の照明装置。
【請求項１１】
前記制御手段は、自機の人検出手段が人の存在を検出してから所定時間の間に、自機のアドレス情報を含むアドレス情報をアドレス記憶手段に記憶している他の端末機の人検出手段が人の存在を検出した場合、自機の制御機能を停止させることを特徴とする請求項６記載の照明装置。
【発明の詳細な説明】
【０００１】
【発明の属する技術分野】
本発明は、通信媒体上に負荷と、負荷を制御する複数の端末機、特に照明負荷と、照明負荷を制御するコントローラとを備える制御システム、及び照明装置に関するものである。
【０００２】
【従来の技術】
図２５は、従来の制御システムの構成を示すもので、制御機器４に一端を接続した通信線３’上に負荷Ｌ１〜Ｌｎ、中継端末機Ｕ１が接続し、中継端末機Ｕ１には負荷Ｐ１，Ｐ２が接続している。負荷Ｌ１〜Ｌｎは交流電源１から電力線２を介して駆動電力が供給され、負荷Ｐ１，Ｐ２は交流電源１から電力線２と中間端末機Ｕ１とを介して駆動電力が供給される。負荷Ｌ１，Ｌ２，Ｌｎ及び中継端末機Ｕ１は各々アドレスＡ１〜Ａ４を有している。ここで、負荷を照明負荷とした場合の、照明負荷と、照明負荷を制御する制御機器との間の通信仕様として、同一通信線上に接続した複数の照明負荷をデジタル信号で制御しようとするＩＥＣ６０９２９というものがあり、照明負荷で受信される制御内容と、その制御内容による照明負荷の動作とが定められている。その制御信号は、［宛先アドレス］＋［制御内容］から成る短い信号であり、照明負荷は制御機器から送信される制御信号の中の宛先アドレスと自機のアドレスとを比較し、一致した場合にその制御内容にしたがって動作するというものである。その制御内容には、点灯、消灯、調光等が定められている。
【０００３】
また、図２６に示すように、１台の親機５があり、負荷Ｌ１〜Ｌｎ、入力端末機Ｔ１〜Ｔｍ、中継端末機Ｕ１が子機として、一端を親機５に接続した通信線３’上に接続され、全ての子機（負荷Ｌ１，Ｌ２，Ｌｎ、入力端末機Ｔ１，Ｔ２，Ｔｍ、中継端末機Ｕ１）は各々アドレスＡ１〜Ａ７を有しており、図２７に示すように親機５はポーリングにより子機を常時監視するような制御システムがある。これは、親機５が子機のアドレス情報を全て管理しており、子機から取得した情報により、所望の中継端末機または負荷に対して適切な制御内容を伝達することができる。例えば、スイッチやセンサの入力端末機（子機）等が複数台、複数種類システム上に存在しても、親機５に一旦情報が集計されるので、所望の動作を予め決めて親機５に内蔵しておけば、様々な入力端末機からの情報に対しても所望の動作が可能になる。
【０００４】
【発明が解決しようとする課題】
ＩＥＣ６０９２９をそのまま拡張すると、複数の制御機器を複数の照明負荷と同一通信線上に接続しても、基本的には動作可能である。例えば、所望の照明負荷の明るさを相対的に制御しようとする明るさ制御用センサ付制御端末機（以下明るさ入力端末機と称する）、人が来たときだけ所望の照明負荷の点灯・消灯を制御する人検出センサ付制御端末機（以下人検出端末機と称する）、人が手動でオン・オフ・調光するスイッチ（以下スイッチ端末機と称する）等が同一通信線上に接続され、各々の端末機が照明負荷の制御信号を直接出力する場合を考える。
【０００５】
まず、明るさ入力端末機は、例えば所定のアドレスの照明負荷の明るさを自機に記憶している明るさで一定に保とうと、調光レベルを上昇・下降させる調光信号を所定のアドレスの照明負荷に対して送信し、所定の照明負荷が所望の明るさになると調光信号の送信を停止する。次に、人検出端末機は、検出範囲内に人が現れた場合に所定の照明負荷を点灯させるように設定されている場合、人を検出すると所定のアドレスの照明負荷に対して点灯信号を送信し、人がいなくなると所定のアドレスの照明負荷に対して消灯信号を送信する。そして、スイッチ端末機は、押下したスイッチに対応する内容の信号を所定のアドレスの照明負荷に対して送信する。
【０００６】
ここで、各々の端末機が互いに別々のアドレスを有する照明負荷に対して制御信号を送信する場合には、各々の照明負荷は所望の動作を行うことができる、
しかし、明るさ入力端末機と人検出端末機とが同一アドレスの照明負荷を制御するように設定されている場合、人検出端末機によって所定のアドレスの照明負荷が消灯していると、明るさ入力端末機は同一の照明負荷に対して所望の明るさになるように調光レベルを上昇させる調光信号を送信したとしても、人検出端末機によって照明負荷は消灯しているので、明るさ入力端末機は調光信号を送信し続けることになる。この場合、通信のトラフィックが無駄に増加し、システムのパフォーマンスに影響を及ぼすという問題がある。
【０００７】
さらに、スイッチ端末機には、利用目的に応じた最適な明るさに設定、演出するというシーン再生のスイッチがあるが、上記同様に人検出端末機によって所定のアドレスの照明負荷が消灯していると、スイッチ端末機は調光信号を送信し続けることになる。あるいは、利用目的に応じた最適な明るさに設定する定出力が求められているにも関わらず、明るさ入力端末機が自機で記憶している明るさに制御してしまうという問題もあった。
【０００８】
また、人検出端末機とスイッチ端末機とが同一アドレスの照明負荷を制御するように設定されている場合、人検出端末機が人を検出して点灯させた照明負荷に対して常に点灯させたいと思い、スイッチ端末機が備える点灯（ＯＮ）のスイッチを押下してスイッチ端末機から所定のアドレスの照明負荷に対して点灯信号を送信すると、この場合、人検出端末機によって点灯している照明負荷はスイッチ端末機からの点灯信号を受信するので問題ないが、その後、人検出端末機が人を検出しなくなったときに、人検出端末機から所定のアドレスの照明負荷に対して消灯信号を送信すると、常時点灯させたい照明負荷が消灯してしまうという問題もある。
【０００９】
なお、上記問題は、同一アドレスの照明負荷に対する動作で説明したが、同一グループアドレスの照明負荷の場合、あるいは異なるグループであっても照明負荷のグループが同一グループに設定される場合、つまり、あるアドレスの照明負荷はグループ１と２に属し、明るさ入力端末機がグループ１，人検出端末機がグループ２に属する場合においても発生する問題である。
【００１０】
ここで、図２６に示す制御システムは、上記のような複雑な制御を実現できる。しかし、親機５が全ての信号を受信して制御内容を把握する必要があるので、ハードウェアに高い処理能力等が要求され、高価なものとなる。さらに、システム規模が小さい、例えばセンサが１つで負荷が１つである構成においても、親機５が必要となりコストパフォーマンスが悪い大変高価なものとなってしまう。また、この構成では、入力端末機Ｔ１〜Ｔｍに対しても一意な（ユニークな）アドレスが必要となり、アドレス空間を消費するという問題があった。
【００１１】
本発明は、上記事由に鑑みてなされたものであり、その目的は、システムの規模に関わらずコストパフォーマンスが高く、且つ所望の動作を行うことができる制御システム、及び照明装置を提供することにある。
【００１２】
【課題を解決するための手段】
請求項１の発明は、負荷と、負荷に通信媒体を介して接続された複数の端末機とを備え、前記端末機は、宛先の負荷を示すアドレス情報及び制御内容を示す制御情報を含む制御信号を負荷に送信し、且つ自機以外から負荷への制御信号を受信する通信手段と、前記アドレス情報を記憶しているアドレス記憶手段と、自機以外から負荷への制御信号を参照して自機の動作を判断する判断手段と、前記判断手段の判断結果に基づいて自機の動作を制御する制御手段とから構成されることを特徴とする。
【００１３】
請求項２の発明は、照明負荷と、照明負荷に通信媒体を介して接続された複数の端末機とを備え、前記端末機は、宛先の照明負荷を示すアドレス情報及び制御内容を示す制御情報を含む制御信号を照明負荷に送信し、且つ自機以外から照明負荷への制御信号を受信する通信手段と、前記アドレス情報を記憶しているアドレス記憶手段と、自機以外から照明負荷への制御信号を参照して自機の動作を判断する判断手段と、前記判断手段の判断結果に基づいて自機の動作を制御する制御手段とから構成されることを特徴とする。
【００１４】
請求項３の発明は、請求項２において、前記端末機は、外部の明るさを検出する明るさ入力手段を備え、前記制御手段は、前記明るさ入力手段の検出結果に基づいて照明負荷の出力を制御する明るさ制御を行うことを特徴とする。
【００１５】
請求項４の発明は、請求項３において、照明負荷の点灯または消灯を指示する制御情報が定義されており、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が照明負荷の消灯を指示するものであれば自機からの明るさ制御を停止すると判断し、照明負荷の点灯を指示するものであれば自機からの明るさ制御を行うと判断することを特徴とする。
【００１６】
請求項５の発明は、請求項３において、照明負荷を所定の調光レベルにする調光制御を指示する制御情報が定義されており、前記端末機は、明るさ制御の目標値を記憶する目標値記憶手段を備えて、前記制御手段は、前記明るさ入力手段の出力が前記目標値に一致するように明るさ制御を行い、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光制御を指示するものであれば、調光制御で指示された調光レベルを前記目標値に設定すると判断することを特徴とする。
【００１７】
請求項６の発明は、請求項２において、前記端末機は、人の存在を検出する人検出手段と、前記人検出手段が人の存在を検出しなくなってからの経過時間をカウントするタイマ手段とを備え、前記制御手段は、前記人検出手段が人の存在を検出をしている間、及び人の存在を検出しなくなってから前記タイマ手段のカウント値が所定の値に達するまでの間は照明負荷を点灯させ、前記タイマ手段のカウント値が所定の値に達すると照明負荷を消灯させることを特徴とする。
【００１８】
請求項７の発明は、請求項６において、照明負荷を所定の調光レベルにする調光制御を指示する制御情報が定義されており、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光制御を指示するものであれば、前記タイマ手段のカウント動作を停止して調光制御を行うと判断することを特徴とする。
【００１９】
請求項８の発明は、請求項６において、照明負荷の調光レベルの上昇，下降を指示する制御情報が定義されており、前記端末機は、前記タイマ手段のカウンタ値をクリアするリトリガ手段を備え、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光レベルの上昇または下降を指示するものであれば、前記タイマ回路のカウント値をクリアすると判断することを特徴とする。
【００２０】
請求項９の発明は、請求項６において、前記制御手段は、前記人検出手段が人の存在を検出している間は、他の端末機に対して前記タイマ手段のカウント値をリセットさせる信号を前記通信手段を介して出力することを特徴とする。
【００２１】
請求項１０の発明は、請求項６において、前記制御手段は、制御する照明負荷の調光レベルを記憶する調光レベル記憶手段を備え、前記人検出手段が人の存在を検出している間は、前記調光レベル記憶手段に記憶している調光レベルに照明負荷を制御する調光信号を前記通信手段を介して照明負荷、及び他の端末機に対して出力し、他の端末機は前記調光信号を受信するとタイマ手段のカウント値をリセットすることを特徴とする。
【００２２】
請求項１１の発明は、請求項６において、前記制御手段は、自機の人検出手段が人の存在を検出してから所定時間の間に、自機のアドレス情報を含むアドレス情報をアドレス記憶手段に記憶している他の端末機の人検出手段が人の存在を検出した場合、自機の制御機能を停止させることを特徴とする。
【００２３】
【発明の実施の形態】
以下、本発明の実施の形態を図面に基づいて説明する。
【００２４】
（実施形態１）
本実施形態のシステム構成は図１に示すように、１対の通信線３（メタルペアケーブル）上に負荷Ｌ１〜Ｌｎ、入力端末機Ｔ１〜Ｔｍ、中継端末機Ｕ１の全ての端末機が接続し、中継端末機Ｕ１には負荷Ｐ１，Ｐ２が接続している。負荷Ｌ１〜Ｌｎは交流電源１から電力線２を介して駆動電力が供給され、負荷Ｐ１，Ｐ２は交流電源１から電力線２と中間端末機Ｕ１とを介して駆動電力が供給される。負荷Ｌ１，Ｌ２，Ｌｎ及び中継端末機Ｕ１は各々アドレスＡ１〜Ａ４を有している。
【００２５】
入力端末機Ｔ１〜Ｔｍは、図２に示すような［開始符号］＋［宛先アドレス］＋［制御内容］＋［停止符号］からなる制御信号を通信線３を通信媒体として宛先アドレス宛に送信するもので、その構成は図３に示す制御端末機Ｔａであり、通信手段１０と、制御手段１１と、判断手段１２と、宛先アドレス記憶手段１３とからなり、マイクロコンピュータと実行プログラム等から構成される。
【００２６】
通信手段１０は、バス接続可能なＲＳ４８５等に代表されるドライバ、レシーバであり、制御信号を負荷に送信し、且つ自機以外から負荷への制御信号を受信するものである。
【００２７】
判断手段１２は、自機以外から負荷への制御信号を参照して自機の動作を判断するものである。
【００２８】
宛先アドレス記憶手段１３は、ＲＯＭ、あるいは書き換え可能なメモリＥＰＲＯＭ（ＥＥＰＲＯＭ）、あるいはディップスイッチ等からなり、通信手段１０が送信する制御信号に設定する所定のアドレス情報（宛先アドレス）を記憶しているものである。
【００２９】
制御手段１１は、判断手段１２の判断結果に基づいて自機の動作を制御するものである。
【００３０】
そして、負荷Ｌ１〜Ｌｎは制御信号を受信すると、まず、自機に記憶している自局アドレスと受信した制御信号のアドレス情報［宛先アドレス］とを比較し、両者が一致した場合は受信した制御信号の制御情報［制御内容Ｘ］を実行する。両者が一致しない場合はその制御信号を無視する。
【００３１】
次に、入力端末機Ｔ１について説明する。入力端末機Ｔ１が送信する制御信号の宛先は負荷Ｌ１であり、宛先アドレス記憶手段１３には宛先アドレスとして負荷Ｌ１のアドレスＡ１が記憶されており、送信する制御信号のアドレス情報［宛先アドレス］にはアドレスＡ１が設定される。また、入力端末機Ｔ２も同様に宛先アドレスとしてアドレスＡ１を持っているとする。
【００３２】
そして、入力端末機Ｔ２から、［開始符号］＋［宛先アドレスＡ１］＋［制御内容Ｘ］＋［停止符号］からなる制御信号が送信され、負荷Ｌ１がその制御信号を受信すると共に、通信線３を介して入力端末機Ｔ１の通信手段１０も受信する。入力端末機Ｔ１の通信手段１０が受信した制御信号は例えば、マイクロコンピュータのＵＡＲＴ（Ｕｎｉｖｅｒｓａｌ　Ａｓｙｎｃｈｒｏｎｏｕｓ　Ｒｅｃｅｉｖｅｒ　Ｔｒａｎｓｍｉｔｔｅｒ）等に入力され、バイナリデータとして評価できるようになる。ここで、受信した制御信号の宛先アドレスと自機の宛先アドレス記憶手段１３に記憶された宛先アドレスとを比較し、両者が一致しない場合はその制御信号を破棄する。両者が一致した場合は、判断手段１２は受信した制御信号の制御内容Ｘを認識する。この場合、受信した制御信号の宛先アドレスと入力端末機Ｔ１の宛先アドレス記憶手段１３に記憶された宛先アドレスとは共にＡ１で一致しているので、判断手段１２は制御内容Ｘに応じて適切な自機の動作を行うように判断し、制御手段１１はその判断結果にしたがって自機を動作させる。この制御信号を受信してから制御内容を認識・判断するまでの各手段は、特に難しいことはなく、マイクロコンピュータと実行プログラム（ソフトウェア）とを用いれば、実現できるものである。
【００３３】
なお、通信手段１０はバス接続可能なものであれば、一般のものでない独自のものであっても同様の効果を得ることはできる。また、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができる。
【００３４】
（実施形態２）
本実施形態は、実施形態１の図１において、負荷Ｌ１〜Ｌｎを照明負荷とし、入力端末機Ｔ１を図４に示す明るさ入力端末機Ｔｂとした照明装置である点が異なる。明るさ入力端末機Ｔｂは、図３に示す制御端末機Ｔａに明るさ入力手段１４を備えたもので、制御手段１１ａは、明るさ入力手段１４の検出結果に基づいて宛先アドレス記憶手段１３に記憶したアドレスに対応する照明負荷の出力を制御する明るさ制御を行う。
【００３５】
明るさ入力手段１４は、例えばフォトダイオード、またはフォトトランジスタによって、宛先アドレス記憶手段１３に記憶したアドレスに対応する照明負荷が発する光の量を検出し、その検出量に応じた電流を出力する。そして、この電流出力を抵抗やオペアンプで電圧値に変換することで、マイクロコンピュータ等で取り扱うことができるようになる。なお、この出力電圧は検出した光の量に比例するように設計されていると取り扱いが容易になるが、出力電圧値を光の量に換算できるデータテーブルが明確になっていれば特に問題はない。さらには、出力電圧値を光の量と関係付けることができればその手段は問わない。
【００３６】
次に、明るさ制御について図５のフローチャートを用いて入力端末機Ｔ１を例にして説明する。なお、図１に構成を示す照明装置で、照明負荷Ｌ１，Ｌ２，Ｌｎの各アドレスはＡ１，Ａ２，Ａ３であり、入力端末機Ｔ１は照明負荷Ｌ１が発する光の量を検出する明るさ入力端末機Ｔｂであり、宛先アドレス記憶手段１３に記憶した宛先アドレスは照明負荷Ｌ１のアドレスＡ１であり、入力端末機Ｔ２の宛先アドレス記憶手段１３に記憶した宛先アドレスは照明負荷Ｌ１のアドレスＡ１であり、入力端末機Ｔｍの宛先アドレス記憶手段１３に記憶した宛先アドレスは照明負荷Ｌ２のアドレスＡ２である。
【００３７】
まず、明るさ入力端末機たる入力端末機Ｔ１の制御手段１１ａは、照明負荷Ｌ１が目標とする光の量、すなわち明るさ入力手段１４の電圧出力の目標値を予め記憶しており、明るさ制御を開始すると（ステップＳ１）、明るさ入力手段１４の電圧出力を取り込み（ステップＳ２）、この明るさ入力手段１４の電圧出力と目標値とを比較する。ここでは電圧出力は検出した光の量に比例しており、比較結果が、電圧出力が目標値より大きい場合には（ステップＳ３）、照明負荷Ｌ１が発する光が目標よりも明るいことになるので、照明負荷Ｌ１に対して［開始符号］＋［宛先アドレスＡ１］＋［制御内容ＤＯＷＮ］＋［停止符号］からなるランプ出力を相対的に下げる制御信号を出力する（ステップＳ５）。また、比較結果が、電圧出力が目標値より小さい場合には（ステップＳ４）、照明負荷Ｌ１が発する光が目標よりも暗いことになるので、照明負荷Ｌ１に対して［開始符号］＋［宛先アドレスＡ１］＋［制御内容ＵＰ］＋［停止符号］からなるランプ出力を相対的に上げる制御信号を出力して（ステップＳ６）、明るさ制御を終了する（ステップＳ７）。
【００３８】
上記明るさ制御の一連の動作を、例えば１秒間隔、あるいは１０秒間隔等の所定の間隔毎に繰り返し、照明負荷Ｌ１は送信される制御信号によって相対的に点灯レベルを上昇させたり、下降させたりしながら、空間を目標の明るさ一定に保つことができる。
【００３９】
次に、入力端末機Ｔ２から照明負荷Ｌ１に対して制御信号が送信された場合の入力端末機Ｔ１の動作について図６のフローチャートを用いて説明する。まず、入力端末機Ｔ２から、［開始符号］＋［宛先アドレスＡ１］＋［制御内容Ｘ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較し（ステップＳ１０）、両者が一致しない場合はその制御信号を破棄して、制御手段１１ａは明るさ制御を行う（ステップＳ１２）。この場合は両者が一致しているので、判断手段１２は受信した制御信号の制御内容Ｘを認識して、さらに明るさ制御を停止する必要があるかないかの判断を行う（ステップＳ１１）。その判断結果に基づいて、例えば明るさ制御を停止させる必要がある場合は、明るさ制御を停止させると判断して、制御手段１１ａはその判断結果にしたがって明るさ制御を停止する。明るさ制御を停止させる必要がない場合は、明るさ制御を行うと判断して、制御手段１１ａはその判断結果にしたがって明るさ制御を行って、ステップＳ１０に戻る（ステップＳ１２）。
【００４０】
また、入力端末機Ｔｍから、［開始符号］＋［宛先アドレスＡ２］＋［制御内容Ｘ］＋［停止符号］からなる制御信号が照明負荷Ｌ２に対して送信されると、入力端末機Ｔ１の判断手段１２は、通信手段１０が受信した制御信号の宛先アドレスＡ２と自機の宛先アドレス記憶手段１３に記憶された宛先アドレスＡ１とを比較し（ステップＳ１０）、この場合は両者が一致しないので、その制御信号を破棄して、制御手段１１ａは明るさ制御を行い（ステップＳ１２）、ステップＳ１０に戻る。
【００４１】
ここで、図６に示すフローチャートのステップＳ１２の明るさ制御では、図５に示す明るさ制御の処理が実行される。
【００４２】
なお、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができ、さらには処理手順も本実施形態で説明した手順に限定されるものではなく、受信した制御信号のアドレス情報，及び制御情報を認識・判断できればよい。
【００４３】
また、相対値で照明負荷の明るさを制御する制御信号ＵＰ，ＤＯＷＮを用いて説明したが、調光テーブルによって照明負荷の現在の調光レベルを管理することができるのであれば、絶対値である調光レベルを用いた制御であっても同様の効果を実現することができる。
【００４４】
（実施形態３）
本実施形態においては、入力端末機Ｔ２，Ｔｍが、宛先アドレス記憶手段１３に記憶したアドレスに対応する照明負荷を点灯（ＯＮ）、消灯（ＯＦＦ）させるスイッチ手段を備えたスイッチ端末機である点が実施形態２とは異なる。なお、図１に構成を示す照明装置で、照明負荷Ｌ１，Ｌ２，Ｌｎの各アドレスはＡ１，Ａ２，Ａ３であり、入力端末機Ｔ１は照明負荷Ｌ１が発する光の量を検出する明るさ入力端末機Ｔｂであり、宛先アドレス記憶手段１３に記憶した宛先アドレスは照明負荷Ｌ１のアドレスＡ１であり、入力端末機Ｔ２の宛先アドレス記憶手段１３に記憶した宛先アドレスは照明負荷Ｌ１のアドレスＡ１であり、入力端末機Ｔｍの宛先アドレス記憶手段１３に記憶した宛先アドレスは照明負荷Ｌ２のアドレスＡ２であることは実施形態２と同様である。
【００４５】
以下、点灯，消灯を行うスイッチ端末機たる入力端末機Ｔ２から照明負荷Ｌ１に対して制御信号が送信された場合の入力端末機Ｔ１の動作について図７のフローチャートを用いて説明する。まず、照明負荷Ｌ１を点灯（ＯＮ）させるために、入力端末機Ｔ２から、［開始符号］＋［宛先アドレスＡ１］＋［制御内容ＯＮ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ２０）。この場合は両者が一致しているので、判断手段１２は受信した制御信号の制御内容ＯＮ（点灯）を認識して、さらに制御内容がＯＦＦであるか否かを判断する（ステップＳ２１）。ここで制御内容は照明負荷の消灯を指示するＯＦＦではなく点灯を指示するＯＮであるので、次に、現在消灯中であるか否かを制御手段１１ａを構成するマイクロコンピュータが有する消灯フラグの状態で判断し（ステップＳ２２）、消灯中であれば消灯フラグをクリアしてから（ステップＳ２５）、明るさ制御を行うと判断して、制御手段１１ａはその判断結果にしたがって明るさ制御を行って（ステップＳ２４）、ステップＳ２０に戻る。消灯中でない場合は、そのまま、明るさ制御を続行して、ステップＳ２０に戻る（ステップＳ２４）。
【００４６】
次に、照明負荷Ｌ１を消灯（ＯＦＦ）させるために、入力端末機Ｔ２から、［開始符号］＋［宛先アドレスＡ１］＋［制御内容ＯＦＦ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ２０）。この場合は両者が一致しているので、判断手段１２は受信した制御信号の制御内容ＯＦＦ（消灯）を認識して、さらに制御内容がＯＦＦであるか否かを判断する（ステップＳ２１）。ここで制御内容は照明負荷の消灯を指示するＯＦＦであるので、次に、現在消灯中であることを示す消灯フラグをセットしてから明るさ制御を行わずにステップＳ２０に戻る（ステップＳ２３）。
【００４７】
そして次に、照明負荷Ｌ２を点灯（ＯＮ）させるために、入力端末機Ｔｍから、［開始符号］＋［宛先アドレスＡ２］＋［制御内容ＯＮ］＋［停止符号］からなる制御信号が照明負荷Ｌ２に対して送信されると、通信線３を介して入力端末機Ｔ１の通信手段１０も受信する。入力端末機Ｔ１の判断手段１２は、受信した制御信号の宛先アドレスＡ２と自機の宛先アドレス記憶手段１３に記憶された宛先アドレスＡ１とを比較する（ステップＳ２０）。この場合は両者が一致していないので、その制御信号を破棄して、消灯フラグの状態から現在消灯中であれば明るさ制御を行わずにステップＳ２０に戻り、消灯中でなければ制御手段１１ａは明るさ制御を行って、ステップＳ２０に戻る（ステップＳ２６）。
【００４８】
ここで、図７に示すフローチャートのステップＳ２４の明るさ制御では、図５に示す明るさ制御の処理が実行される。
【００４９】
なお、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができ、さらには処理手順も本実施形態で説明した手順に限定されるものではなく、受信した制御信号のアドレス情報，及び制御情報を認識・判断できればよい。
【００５０】
（実施形態４）
本実施形態においては、入力端末機Ｔ２，Ｔｍが、宛先アドレス記憶手段１３に記憶したアドレスに対応する照明負荷を点灯（ＯＮ）、消灯（ＯＦＦ）、利用目的に応じた最適な明るさに設定、演出するというシーンを記憶してシーン再生を行うスイッチ手段を備えたスイッチ端末機である点が実施形態２とは異なる。なお、図１に構成を示す照明装置で、照明負荷Ｌ１，Ｌ２，Ｌｎの各アドレスはＡ１，Ａ２，Ａ３であり、入力端末機Ｔ１は照明負荷Ｌ１が発する光の量を検出する明るさ入力端末機Ｔｂであり、宛先アドレス記憶手段１３に記憶した宛先アドレスは照明負荷Ｌ１のアドレスＡ１であり、入力端末機Ｔ２の宛先アドレス記憶手段１３に記憶した宛先アドレスは照明負荷Ｌ１のアドレスＡ１であり、入力端末機Ｔｍの宛先アドレス記憶手段１３に記憶した宛先アドレスは照明負荷Ｌ２のアドレスＡ２であることは実施形態２と同様である。
【００５１】
以下、シーン再生を行うスイッチ端末機たる入力端末機Ｔ２から照明負荷Ｌ１に対して制御信号が送信された場合の入力端末機Ｔ１の動作について図８のフローチャートを用いて説明する。まず、照明負荷Ｌ１をシーン再生（ＳＰ１）させるために、入力端末機Ｔ２から、［開始符号］＋［宛先アドレスＡ１］＋［制御内容ＳＰ１］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ３０）。この場合は両者が一致しているので、判断手段１２は受信した制御信号の制御内容ＳＰ１（シーン再生）を認識して、さらに制御内容がＳＰ１であるか否かを判断する（ステップＳ３１）。ここで制御内容は照明負荷のシーン再生を指示するＳＰ１であるので、次に、制御手段１１ａを構成するマイクロコンピュータが有する、現在シーン再生中であることを示すシーン再生フラグをセットしてシーン再生状態にしてから明るさ制御を行わずにステップＳ３０に戻る（ステップＳ３３）。
【００５２】
次に、照明負荷Ｌ１を消灯（ＯＦＦ）させるために、入力端末機Ｔ２から、［開始符号］＋［宛先アドレスＡ１］＋［制御内容ＯＦＦ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ３０）。この場合は両者が一致しているので、判断手段１２は受信した制御信号の制御内容ＯＦＦ（消灯）を認識して、さらに制御内容がＳＰ１であるか否かを判断する（ステップＳ３１）。ここで制御内容は照明負荷のシーン再生を指示するＳＰ１ではなく消灯を指示するＯＦＦであるので、次に、現在シーン再生中であるか否かをシーン再生フラグの状態で判断し（ステップＳ３２）、シーン再生中であればシーン再生フラグをクリアしてから（ステップＳ３５）、明るさ制御を行うと判断して、制御手段１１ａはその判断結果にしたがって明るさ制御を行って、ステップＳ３０に戻る（ステップＳ３４）。シーン再生中でない場合は、そのまま、明るさ制御を続行して、ステップＳ３０に戻る（ステップＳ３４）。
【００５３】
そして次に、照明負荷Ｌ２を点灯（ＯＮ）させるために、入力端末機Ｔｍから、［開始符号］＋［宛先アドレスＡ２］＋［制御内容ＯＮ］＋［停止符号］からなる制御信号が照明負荷Ｌ２に対して送信されると、通信線３を介して入力端末機Ｔ１の通信手段１０も受信する。入力端末機Ｔ１の判断手段１２は、受信した制御信号の宛先アドレスＡ２と自機の宛先アドレス記憶手段１３に記憶された宛先アドレスＡ１とを比較する（ステップＳ３０）。この場合は両者が一致していないので、その制御信号を破棄して、シーン再生フラグの状態から現在シーン再生中であれば明るさ制御を行わずにステップＳ３０に戻り、シーン再生中でなければ制御手段１１ａは明るさ制御を行って、ステップＳ３０に戻る（ステップＳ３６）。
【００５４】
ここで、図８に示すフローチャートのステップＳ３４の明るさ制御では、図５に示す明るさ制御の処理が実行される。
【００５５】
なお、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができ、さらには処理手順も本実施形態で説明した手順に限定されるものではなく、受信した制御信号のアドレス情報，及び制御情報を認識・判断できればよい。
【００５６】
（実施形態５）
本実施形態においては、入力端末機Ｔ１を図９に示す明るさ入力端末機Ｔｃとし、入力端末機Ｔ２，Ｔｍが、宛先アドレス記憶手段１３に記憶したアドレスに対応する照明負荷の調光レベルを制御するスイッチ手段を備えたスイッチ端末機である点が実施形態２とは異なる。なお、図１に構成を示す照明装置で、照明負荷Ｌ１，Ｌ２，Ｌｎの各アドレスはＡ１，Ａ２，Ａ３であり、入力端末機Ｔ１は照明負荷Ｌ１が発する光の量を検出する明るさ入力端末機Ｔｃであり、宛先アドレス記憶手段１３に記憶した宛先アドレスは照明負荷Ｌ１のアドレスＡ１であり、入力端末機Ｔ２の宛先アドレス記憶手段１３に記憶した宛先アドレスは照明負荷Ｌ１のアドレスＡ１であり、入力端末機Ｔｍの宛先アドレス記憶手段１３に記憶した宛先アドレスは照明負荷Ｌ２のアドレスＡ２であることは実施形態２と同様である。
【００５７】
図９に示す明るさ入力端末機Ｔｃは、図４に示す明るさ入力端末機Ｔｂに明るさレベル記憶手段１５（目標値記憶手段）を備えたもので、明るさレベル記憶手段１５は例えばＥＥＰＲＯＭ等の記憶手段であって、明るさ制御の目標値を記憶しており、制御手段１１ａがその記憶内容を変更できるものである。制御手段１１ａは、宛先アドレス記憶手段１３に記憶したアドレスに対応する照明負荷が発する光の量を検出する明るさ入力手段１４の電圧出力を明るさレベル記憶手段１５に記憶した目標値に一致させるように照明負荷の出力を制御する明るさ制御を行う。
【００５８】
以下、調光レベルを制御するスイッチ端末機たる入力端末機Ｔ２から照明負荷Ｌ１に対して制御信号が送信された場合の入力端末機Ｔ１の動作について図１０のフローチャートを用いて説明する。まず、照明負荷Ｌ１の調光レベルを１段階上昇（ＳＴＥＰＵＰ）させるために、入力端末機Ｔ２から、［開始符号］＋［宛先アドレスＡ１］＋［制御内容ＳＴＥＰＵＰ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ４０）。この場合は両者が一致しているので、判断手段１２は受信した制御信号の制御内容ＳＴＥＰＵＰ（調光レベル１段階上昇）を認識して、さらに制御内容がＳＴＥＰＵＰであるか否かを判断する（ステップＳ４１）。ここで、制御内容は照明負荷の調光レベルの１段階上昇を指示するＳＴＥＰＵＰであるので、次に、照明負荷の調光レベルが１段階上昇した後の明るさ入力手段１４からの電圧出力を明るさレベル記憶手段１５に調光制御の新たな目標値として記憶させて（ステップＳ４３）、明るさ入力手段１４の電圧出力をその新たな目標値に一致させるように照明負荷の出力を制御する明るさ制御を行って、ステップＳ４０に戻る（ステップＳ４２）。
【００５９】
次に、照明負荷Ｌ１を消灯（ＯＦＦ）させるために、入力端末機Ｔ２から、［開始符号］＋［宛先アドレスＡ１］＋［制御内容ＯＦＦ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ４０）。この場合は両者が一致しているので、判断手段１２は受信した制御信号の制御内容ＯＦＦ（消灯）を認識して、さらに制御内容がＳＴＥＰＵＰであるか否かを判断する（ステップＳ４１）。ここで制御内容は照明負荷の調光レベルの１段階上昇を指示するＳＴＥＰＵＰではなく消灯を指示するＯＦＦであるので、そのまま明るさ制御を続行して、ステップＳ４０に戻る（ステップＳ４２）。
【００６０】
そして次に、照明負荷Ｌ２を点灯（ＯＮ）させるために、入力端末機Ｔｍから、［開始符号］＋［宛先アドレスＡ２］＋［制御内容ＯＮ］＋［停止符号］からなる制御信号が照明負荷Ｌ２に対して送信されると、通信線３を介して入力端末機Ｔ１の通信手段１０も受信する。入力端末機Ｔ１の判断手段１２は、受信した制御信号の宛先アドレスＡ２と自機の宛先アドレス記憶手段１３に記憶された宛先アドレスＡ１とを比較する（ステップＳ４０）。この場合は両者が一致していないので、その制御信号を破棄して、そのまま明るさ制御を続行して、ステップＳ４０に戻る。（ステップＳ４２）。
【００６１】
ここで、図１０に示すフローチャートのステップＳ４２の明るさ制御では、図５に示す明るさ制御の処理が実行される。
【００６２】
なお、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができ、さらには処理手順も本実施形態で説明した手順に限定されるものではなく、受信した制御信号のアドレス情報，及び制御情報を認識・判断できればよい。
【００６３】
（実施形態６）
本実施形態は、図１に構成を示す照明装置であり、入力端末機Ｔ１がタイマ手段を備えた明るさ入力端末機である点が実施形態２とは異なる。入力端末機Ｔ１がタイマ手段を備えていることによって、例えばスケジューラにより設定した時間に同期してシーン再生するような自機以外の端末機があった場合には、スケジューラによる制御が優先する時間のみ、入力端末機Ｔ１の明るさ制御を停止させる動作が可能となる。
【００６４】
（実施形態７）
本実施形態は、実施形態１の図１において、負荷Ｌ１〜Ｌｎを照明負荷とし、入力端末機Ｔ１を図１１に示す人検出端末機Ｔｄとした照明装置である点が異なり、人検出端末機Ｔｄは、図３に示す制御端末機Ｔａにタイマ手段１６と人検出手段１７とを備えたものである。
【００６５】
人検出手段１７は、焦電型熱線素子等で構成され、通常はＨレベル電圧を出力し、人が検出範囲内にいると周囲温度に対してセンサ部の特定の部位で温度が高くなり、出力が反転してＬレベル電圧を出力する。例えば、超音波、赤外線等を利用した測距素子、または障害物がない場合にＨレベル電圧を出力し、人がいるとその人の影響で目標への距離が変わったことを検出することで出力を反転してＬレベル電圧を出力する素子等の人を検出できる素子であればその種類は問わない。
【００６６】
タイマ回路１６は人検出手段１７が人の存在を検出しなくなってからの経過時間をカウントする。
【００６７】
制御手段１１ｂは、タイマ手段１６のカウント値が所定の値に達すると、宛先アドレス記憶手段１３に記憶したアドレスに対応する照明負荷を消灯する人検出制御を行う。
【００６８】
次に、人検出制御について図１２のフローチャートを用いて入力端末機Ｔ１を例にして説明する。なお、図１に構成を示す照明装置で、照明負荷Ｌ１，Ｌ２，Ｌｎの各アドレスはＡ１，Ａ２，Ａ３であり、入力端末機Ｔ１は人検出端末機Ｔｄであり、宛先アドレス記憶手段１３に記憶した宛先アドレスは照明負荷Ｌ１のアドレスＡ１であり、入力端末機Ｔ２の宛先アドレス記憶手段１３に記憶した宛先アドレスは照明負荷Ｌ１のアドレスＡ１であり、入力端末機Ｔｍの宛先アドレス記憶手段１３に記憶した宛先アドレスは照明負荷Ｌ２のアドレスＡ２である。
【００６９】
まず、人検出端末機たる入力端末機Ｔ１の制御手段１１ｂは、タイマ回路１６がカウントする、人検出手段１７が人の存在を検出しなくなってからの経過時間の基準値を設定時間として予め記憶しており、人検出制御を開始すると（ステップＳ５０）、人検出手段１７が人を検出すれば（ステップＳ５１）、タイマ手段１６のカウンタ値をクリアしておき（ステップＳ５７）、現在人検出中か否かを、制御手段１１ｂを構成するマイクロコンピュータが有する、現在人検出中であることを示す人検出フラグの状態で判断して、人検出フラグが既にセットされていれば人検出制御を終了する（ステップＳ５１１）。人検出フラグがセットされていなければ、制御手段１１ｂは照明負荷Ｌ１を点灯（ＯＮ）させるために、照明負荷Ｌ１に対して［開始符号］＋［宛先アドレスＡ１］＋［制御内容ＯＮ］＋［停止符号］からなる制御信号を出力し（ステップＳ５９）、人検出フラグをセットして（ステップＳ５１０）、人検出制御を終了する（ステップＳ５１１）。
【００７０】
ステップＳ５１で人検出手段１７が人検出していない場合は、制御手段１１ｂは、現在人検出中か否かを、人検出フラグの状態で判断して（ステップＳ５２）、人検出フラグがセットされていなければ、人検出制御を終了する（ステップＳ５１１）。人検出フラグがセットされていれば、タイマ手段１６のカウンタ値をインクリメントし（ステップＳ５３）、そのカウンタ値が予め記憶している設定時間未満であれば（ステップＳ５４）、人検出制御を終了する（ステップＳ５１１）。カウンタ値が予め記憶している設定時間以上であれば（ステップＳ５４）、制御手段１１ｂは照明負荷Ｌ１を消灯（ＯＦＦ）させるために、照明負荷Ｌ１に対して［開始符号］＋［宛先アドレスＡ１］＋［制御内容ＯＦＦ］＋［停止符号］からなる制御信号を出力し（ステップＳ５５）、人検出フラグをクリアして（ステップＳ５６）、人検出制御を終了する（ステップＳ５１１）。
【００７１】
次に、以下、入力端末機Ｔ２から照明負荷Ｌ１に対して制御信号が送信された場合の入力端末機Ｔ１の動作について図１３のフローチャートを用いて説明する。まず、入力端末機Ｔ２から、［開始符号］＋［宛先アドレスＡ１］＋［制御内容Ｘ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ６０）。この場合は両者が一致しているので、判断手段１２は受信した制御信号の制御内容Ｘを認識して、人検出制御を停止する必要があるかないかの判断を行う（ステップＳ６１）。その判断結果に基づいて、例えば人検出制御を停止させる必要がある場合は、人検出制御を停止させると判断して、制御手段１１ｂはその判断結果にしたがって人検出制御を停止する。人検出制御を停止させる必要がない場合は、人検出制御を行うと判断して、制御手段１１ｂはその判断結果にしたがって人検出制御を行って、ステップＳ６０に戻る（ステップＳ６２）。
【００７２】
また、入力端末機Ｔｍから、［開始符号］＋［宛先アドレスＡ２］＋［制御内容Ｘ］＋［停止符号］からなる制御信号が照明負荷Ｌ２に対して送信されると、入力端末機Ｔ１の判断手段１２は、通信手段１０が受信した制御信号の宛先アドレスＡ２と自機の宛先アドレス記憶手段１３に記憶された宛先アドレスＡ１とを比較し（ステップＳ６０）、この場合は両者が一致しないので、その制御信号を破棄して、制御手段１１ｂは人検出制御を行い（ステップＳ６２）、ステップＳ６０に戻る。
【００７３】
ここで、図１３に示すフローチャートのステップＳ６２の人検出制御では、図１２に示す人検出制御の処理が実行される。
【００７４】
なお、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができ、さらには処理手順も本実施形態で説明した手順に限定されるものではなく、受信した制御信号のアドレス情報，及び制御情報を認識・判断できればよい。
【００７５】
（実施形態８）
本実施形態においては、入力端末機Ｔ２，Ｔｍが、宛先アドレス記憶手段１３に記憶したアドレスに対応する照明負荷を点灯（ＯＮ）、消灯（ＯＦＦ）、利用目的に応じた最適な明るさに設定、演出するというシーンを記憶してシーン再生を行うスイッチ手段を備えたスイッチ端末機である点が実施形態７とは異なる。なお、図１に構成を示す照明装置で、照明負荷Ｌ１，Ｌ２，Ｌｎの各アドレスはＡ１，Ａ２，Ａ３であり、入力端末機Ｔ１は人検出端末機Ｔｄであり、宛先アドレス記憶手段１３に記憶した宛先アドレスは照明負荷Ｌ１のアドレスＡ１であり、入力端末機Ｔ２の宛先アドレス記憶手段１３に記憶した宛先アドレスは照明負荷Ｌ１のアドレスＡ１であり、入力端末機Ｔｍの宛先アドレス記憶手段１３に記憶した宛先アドレスは照明負荷Ｌ２のアドレスＡ２であることは実施形態７と同様である。
【００７６】
以下、シーン再生を行うスイッチ端末機たる入力端末機Ｔ２から照明負荷Ｌ１に対して制御信号が送信された場合の入力端末機Ｔ１の動作について図１４のフローチャートを用いて説明する。まず、照明負荷Ｌ１をシーン再生（ＳＰ１）させるために、入力端末機Ｔ２から、［開始符号］＋［宛先アドレスＡ１］＋［制御内容ＳＰ１］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ７０）。この場合は両者が一致しているので、判断手段１２は受信した制御信号の制御内容ＳＰ１（シーン再生）を認識して、さらに制御内容がＳＰ１であるか否かを判断する（ステップＳ７１）。ここで制御内容は照明負荷のシーン再生を指示するＳＰ１であるので、次に、制御手段１１ｂを構成するマイクロコンピュータが有する、現在シーン再生中であることを示すシーン再生フラグをセットして（ステップＳ７３）、人検出フラグをクリアしてから人検出制御を行わずに（すなわちタイマ手段１６のカウント動作を停止させて）ステップＳ７０に戻る（ステップＳ７４）。
【００７７】
次に、照明負荷Ｌ１を消灯（ＯＦＦ）させるために、入力端末機Ｔ２から、［開始符号］＋［宛先アドレスＡ１］＋［制御内容ＯＦＦ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ７０）。この場合は両者が一致しているので、判断手段１２は受信した制御信号の制御内容ＯＦＦ（消灯）を認識して、さらに制御内容がＳＰ１であるか否かを判断する（ステップＳ７１）。ここで制御内容は照明負荷のシーン再生を指示するＳＰ１ではなく消灯を指示するＯＦＦであるので、次に、現在シーン再生中であるか否かをシーン再生フラグの状態で判断し（ステップＳ７２）、シーン再生中であればシーン再生フラグをクリアしてから（ステップＳ７５）、人検出制御を行うと判断して、制御手段１１ｂはその判断結果にしたがって人検出制御を行って、ステップＳ７０に戻る。シーン再生中でない場合は、そのまま、人検出制御を続行して、ステップＳ７０に戻る（ステップＳ７７）。
【００７８】
そして次に、照明負荷Ｌ２を点灯（ＯＮ）させるために、入力端末機Ｔｍから、［開始符号］＋［宛先アドレスＡ２］＋［制御内容ＯＮ］＋［停止符号］からなる制御信号が照明負荷Ｌ２に対して送信されると、通信線３を介して入力端末機Ｔ１の通信手段１０も受信する。入力端末機Ｔ１の判断手段１２は、受信した制御信号の宛先アドレスＡ２と自機の宛先アドレス記憶手段１３に記憶された宛先アドレスＡ１とを比較する（ステップＳ７０）。この場合は両者が一致していないので、その制御信号を破棄して、シーン再生フラグの状態から現在シーン再生中であれば人検出制御を行わずにステップＳ７０に戻り、シーン再生中でなければ制御手段１１ｂは人検出制御を行って、ステップＳ７０に戻る（ステップＳ７７）。
【００７９】
ここで、図１４に示すフローチャートのステップＳ７７の人検出制御では、図１２に示す人検出制御の処理が実行される。
【００８０】
なお、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができ、さらには処理手順も本実施形態で説明した手順に限定されるものではなく、受信した制御信号のアドレス情報，及び制御情報を認識・判断できればよい。
【００８１】
（実施形態９）
本実施形態においては、入力端末機Ｔ２，Ｔｍが、宛先アドレス記憶手段１３に記憶したアドレスに対応する照明負荷の調光レベルを制御するスイッチ手段を備えたスイッチ端末機である点が実施形態７とは異なる。なお、図１に構成を示す照明装置で、照明負荷Ｌ１，Ｌ２，Ｌｎの各アドレスはＡ１，Ａ２，Ａ３であり、入力端末機Ｔ１は人検出端末機Ｔｄであり、宛先アドレス記憶手段１３に記憶した宛先アドレスは照明負荷Ｌ１のアドレスＡ１であり、入力端末機Ｔ２の宛先アドレス記憶手段１３に記憶した宛先アドレスは照明負荷Ｌ１のアドレスＡ１であり、入力端末機Ｔｍの宛先アドレス記憶手段１３に記憶した宛先アドレスは照明負荷Ｌ２のアドレスＡ２であることは実施形態７と同様である。
【００８２】
以下、調光レベルを制御するスイッチ端末機たる入力端末機Ｔ２から照明負荷Ｌ１に対して制御信号が送信された場合の入力端末機Ｔ１の動作について図１５のフローチャートを用いて説明する。まず、照明負荷Ｌ１の調光レベルを１段階上昇（ＳＴＥＰＵＰ）させるために、入力端末機Ｔ２から、［開始符号］＋［宛先アドレスＡ１］＋［制御内容ＳＴＥＰＵＰ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ８０）。この場合は両者が一致しているので、判断手段１２は受信した制御信号の制御内容ＳＴＥＰＵＰ（調光レベル１段階上昇）を認識して、制御内容が照明負荷の調光レベルの上昇，下降であるか否かを判断する（ステップＳ８１）。ここで、制御内容は照明負荷の調光レベルの１段階上昇を指示するＳＴＥＰＵＰであるので、制御手段１１ｂはタイマ手段１６のカウント値をクリアして（ステップＳ８２）、人検出制御を行って、ステップＳ８０に戻る（ステップＳ８３）。
【００８３】
次に、照明負荷Ｌ１を消灯（ＯＦＦ）させるために、入力端末機Ｔ２から、［開始符号］＋［宛先アドレスＡ１］＋［制御内容ＯＦＦ］＋［停止符号］からなる制御信号が照明負荷Ｌ１に対して送信されると、通信線３を介して入力端末機Ｔ１の通信手段１０も受信する。入力端末機Ｔ１の判断手段１２は、受信した制御信号の宛先アドレスＡ１と自機の宛先アドレス記憶手段１３に記憶された宛先アドレスＡ１とを比較する（ステップＳ８０）。この場合は両者が一致しているので、判断手段１２は受信した制御信号の制御内容ＯＦＦ（消灯）を認識して、さらに制御内容が照明負荷の調光レベルの上昇，下降であるか否かを判断する（ステップＳ８１）。ここで制御内容は照明負荷の調光レベルの１段階上昇を指示するＳＴＥＰＵＰではなく消灯を指示するＯＦＦであるので、そのまま人検出制御を続行して、ステップＳ８０に戻る（ステップＳ８３）。
【００８４】
そして次に、照明負荷Ｌ２を点灯（ＯＮ）させるために、入力端末機Ｔｍから、［開始符号］＋［宛先アドレスＡ２］＋［制御内容ＯＮ］＋［停止符号］からなる制御信号が照明負荷Ｌ２に対して送信されると、通信線３を介して入力端末機Ｔ１の通信手段１０も受信する。入力端末機Ｔ１の判断手段１２は、受信した制御信号の宛先アドレスＡ２と自機の宛先アドレス記憶手段１３に記憶された宛先アドレスＡ１とを比較する（ステップＳ８０）。この場合は両者が一致していないので、その制御信号を破棄して、そのまま人検出制御を続行して、ステップＳ８０に戻る。（ステップＳ８３）。
【００８５】
ここで、図１５に示すフローチャートのステップＳ８３の人検出制御では、図１２に示す人検出制御の処理が実行される。
【００８６】
なお、本実施形態では、各端末機に一意なアドレスを割り付けているが、例えば同報アドレスやグループアドレスを割り付けた場合でも、同報アドレスやグループアドレスを記憶手段に記憶しておき、制御信号の宛先アドレスと順次比較することにより本実施形態と同様の動作、及び効果を実現することができ、さらには処理手順も本実施形態で説明した手順に限定されるものではなく、受信した制御信号のアドレス情報，及び制御情報を認識・判断できればよい。
【００８７】
（実施形態１０）
本実施形態では、実施形態２乃至９における通信異常時の動作について説明する。まず、照明負荷Ｌ１〜Ｌｎには通信線３の異常時に調光レベルを固定するという機能がある。また、この通信線３上を流れる信号は通信時の電圧レベルがＨレベル、Ｌレベルのパルスで、定常時、つまり非通信時にはＨレベルの電圧値になっている。
【００８８】
ここで、各照明負荷Ｌ１〜Ｌｎは、異常時の点灯レベルとして１００％の調光レベルで点灯するように設定されている。さらに、２本の通信線３間をトランジスタで短絡する構成の異常検出手段付端末機を備えて、異常時にはこのトランジスタをオンして通信線３間を短絡させることによって信号レベルをＬレベルに保持する。
【００８９】
そして、通常運用時にはこの異常検出手段付端末機は異常を検出していないので、トランジスタはオフしており、通信線３間の定常時の電圧はＨレベルとなり、正常に通信を行うことができる。
【００９０】
一方、システムに何らかの異常が発生して正常に運用できない場合、つまりは正常に通信できない場合には、異常検出手段付端末機が動作して、通信線３間をトランジスタで短絡して通信線３間の電圧をＬレベルに保持し、各照明負荷Ｌ１〜Ｌｎは各々が記憶している異常時点灯レベルで点灯動作を行う。
【００９１】
また、本実施形態では異常時の点灯レベルは１００％としているが、異常の発生を確実に認識したい場合であれば、特別な点灯パターンを記憶させてもよい。
【００９２】
（実施形態１１）
本発明は図１に示すシステム構成の入力端末機Ｔ１，Ｔ２を、人検出センサ（人検出手段）を備えた人検出端末機とし、負荷Ｌ１，Ｌ２を照明負荷としたものであり、その構成は図１６に示すように、１対の通信線３（メタルペアケーブル）上に照明負荷Ｌ１，Ｌ２、人検出センサ（人検出手段）を備えた入力端末機たる人検出端末機Ｔ１，Ｔ２が接続している。照明負荷Ｌ１，Ｌ２は交流電源１から電力線２を介して駆動電力が供給される。照明負荷Ｌ１，Ｌ２は各々アドレスＡ１，Ａ２を有している。なお、人検出端末機の構成，動作は実施形態７と同様に図１１，１２で示される。
【００９３】
本実施形態において人検出端末機Ｔ１，Ｔ２が人の存在を検出したときの動作モードは、図１７に示すように人検出モード、保持時間モード、調光待機モードからなっている。人検出手段１７（図１１参照）は定期的に人の検出動作を行っており、人検出モードとは、人が人検出手段１７の検出範囲内にいて、人検出手段１７が定期的に人を検出し、検出したときに通信手段１０を介して対象の照明器具（宛先アドレスを宛先アドレス記憶手段１３に記憶されている照明器具）に点灯信号を送信しているモードである。
【００９４】
保持時間モードとは、人検出手段１７が人の検出をしている状態から検出していない状態になって人検出モードが終了した後、タイマ手段１６（図１１参照）がカウントする保持時間の経過が所定の値に達するまで、対象の照明器具に点灯信号を送信しているモードである。
【００９５】
調光待機モードとは、タイマ手段１６のカウント値が所定の値に達して保持時間モードが終了した後、対象の照明器具を調光レベルの下限に制御する調光下限信号を送信して、タイマ手段１６で所定時間のカウントを行った後、対象の照明器具を消灯する消灯信号を送信するモードである。
【００９６】
ここで、図１８に示すように、人検出端末機Ｔ２が人検出端末機Ｔ１に対して時間ｔ１０遅れて人検出モードを開始した場合、人検出端末機Ｔ１，Ｔ２の各人検出モードの時間がほぼ同じであるとすると、人検出端末機Ｔ１は人検出端末機Ｔ２より早く保持時間モードに入る。そして、人検出端末機Ｔ１，Ｔ２の各保持時間モードの時間も同じであるので、人検出端末機Ｔ１は人検出端末機Ｔ２より早く調光待機モードに入り、時間ｔ２０で調光下限信号を照明負荷Ｌ１に送信する。このとき、人検出端末機Ｔ２から見ると、自機の保持時間モードの所定時間が終了していないにも関わらず、照明負荷Ｌ１が調光レベルの下限に調光されることになり、人検出端末機Ｔ２にとって、所望の動作ではなくなってしまう。
【００９７】
そこで、本実施形態では、図１９に示すように、人検出端末機Ｔ１，Ｔ２の各制御手段１１ｂは、自機と同一のアドレス情報を宛先アドレス記憶手段１３に記憶している（すなわち、同一制御グループに設定された）他の人検出端末機（人検出端末機Ｔ１から見ると人検出端末機Ｔ２、人検出端末機Ｔ２から見ると人検出端末機Ｔ１）に対して、人検出モードで動作している間に定期的に保持時間リトリガ信号３０（以後リトリガ信号３０と称す）を送信する構成としている。
【００９８】
したがって、人検出端末機Ｔ２が人検出端末機Ｔ１に対して時間ｔ１遅れて人検出モードを開始した場合でも、人検出端末機Ｔ２より早く保持時間モードに入った人検出端末機Ｔ１は、人検出端末機Ｔ２からのリトリガ信号３０によって、タイマ手段１６のカウント値をリセットされるので、人検出端末機Ｔ１，Ｔ２の保持時間モードの開始は同じ時間ｔ２となり、その後の調光待機モードの開始も同じ時間ｔ３となって、人検出端末機Ｔ１，Ｔ２に対して所望の動作を行うことができる。
【００９９】
本実施形態では、リトリガ信号３０として、宛先アドレスＡ１、且つ照明器具を１００％点灯させる制御データを有する点灯信号を用いており、人検出端末機Ｔ１，Ｔ２は、自機の宛先アドレス記憶手段１３に記憶された宛先アドレスＡ１と受信したリトリガ信号３０の宛先アドレスＡ１とが一致しているので、判断手段１２は受信したリトリガ信号３０を認識して、タイマ手段１６のカウント値をリセットすることができる。
【０１００】
上記本実施形態によれば、同一グループに人検出端末機を２台以上設定することが可能となり、機能の向上を図ることができる。
【０１０１】
（実施形態１２）
本発明のシステム構成は図２０に示すように、実施形態１１を示す図１６の構成に明るさ入力端末機Ｔ３を通信線３に接続したものである。なお、人検出端末機Ｔ１，Ｔ２、及び明るさ入力端末機Ｔ３が送信する制御信号の宛先は共に照明負荷Ｌ１であり、宛先アドレスとして照明負荷１のアドレスＡ１が記憶されており、送信する制御信号のアドレス情報［宛先アドレス］にはアドレスＡ１が設定される。
【０１０２】
また、本実施形態の人検出端末機Ｔ１，Ｔ２の構成は図２１に示され、通信部２０と、制御部２１と、記憶部２２と、人検出部２３とからなり、マイクロコンピュータと実行プログラム等から構成される。通信部２０は図１１に示す人検出端末機Ｔｄの通信手段１０を成すものであり、制御部２１は制御手段１１ｂと判断手段１２とタイマ手段１６とを成すものであり、記憶部２２は宛先アドレス記憶手段１３を成しており、本実施形態ではさらに、制御する照明負荷の調光レベルを記憶する調光レベル記憶手段をも成すものであり、人検出部２３は人検出手段１７を成すものである。さらに、明るさ入力端末機Ｔ３の構成は実施形態２の図４に示す明るさ入力端末機Ｔｂと同様である。
【０１０３】
以下、本実施形態の動作について図２２を用いて説明する。ここで、図２２は実施形態１１の図１９に明るさ入力端末機Ｔ３の動作を付加したもので、実施形態１１と同様の動作について説明は省略する。まず、人検出端末機Ｔ１の人検出部２３が人を検出すると、照明負荷Ｌ１に対して点灯信号を送信し、その点灯信号を明るさ入力端末機Ｔ３が受信して、照明負荷Ｌ１に対して明るさ一定制御を行う。ここで、明るさ入力端末機Ｔ３は調光信号４０を送信し、調光信号４０は図２３（ａ），（ｂ）に示す宛先アドレスと制御データとを含む。図２３（ａ）は、アドレスＡ１の照明負荷Ｌ１宛に調光レベルのＵＰ（上昇）を指示するものであり、図２３（ｂ）は、アドレスＡ１の照明負荷Ｌ１宛に調光レベルのＤＯＷＮ（下降）を指示するものである。
【０１０４】
このとき、人検出端末機Ｔ１，Ｔ２がリトリガ信号３０として実施形態１と同様に照明負荷を１００％点灯させる点灯信号を送信するとした場合、人検出端末機Ｔ１，Ｔ２が人検出モードで動作して定期的にリトリガ信号３０を送信しているときは、リトリガ信号３０の宛先アドレスはＡ１であるので、人検出端末機Ｔ１，Ｔ２だけでなく照明負荷Ｌ１もリトリガ信号３０を受信しており、照明負荷Ｌ１はリトリガ信号３０を受信する度に１００％点灯して、明るさ入力端末機Ｔ３による明るさ一定制御を行うことができなくなる。
【０１０５】
そこで、本実施形態ではリトリガ信号３０として、図２３（ｃ）に示すように宛先アドレスと調光レベルとを含む調光信号を用いている。具体的には、明るさ入力端末機Ｔ３が調光レベルの上昇または下降を指示する調光信号を送信すると、人検出端末機Ｔ１，Ｔ２はその調光信号を受信して、照明負荷Ｌ１の調光レベルを記憶部１２の調光レベル記憶手段に記憶し、その記憶した調光レベルを指示する調光信号をリトリガ信号３０として用いる。
【０１０６】
上記本実施形態によれば、人検知制御と明るさ一定制御とを同一グループで行うことができる。
【０１０７】
（実施形態１３）
本発明のシステム構成は、実施形態１１を示す図１６の構成と同様であり、実施形態１１と同様の構成には同一の符号を付して説明は省略する。なお、人検出端末機Ｔ１，Ｔ２が送信する制御信号の宛先は共に照明負荷Ｌ１であり、各記憶部１２には宛先アドレスとして照明負荷１のアドレスＡ１が記憶されており、送信する制御信号のアドレス情報［宛先アドレス］にはアドレスＡ１が設定される。
【０１０８】
本実施形態においても人検出端末機Ｔ１，Ｔ２が人検出したときの動作モードは、実施形態１１と同様に図１７に示す人検出モード、保持時間モード、調光待機モードからなっている。
【０１０９】
そして、本実施形態では、図２４に示すように、人検出端末機Ｔ１が人の存在を検出してから検出モード、保持時間モード、調光待機モードのうちいずれかのモードで動作しているときに、人検出端末機Ｔ１と同一のアドレス情報を宛先アドレス記憶手段１３に記憶している人検出端末機Ｔ２が人の存在を検出して宛先アドレスがＡ１である点灯信号を送信した場合、人検出端末機Ｔ１がその点灯信号を受信している時間ｔ１〜ｔ３の間（すなわち、人検出端末機Ｔ２が検出モード、保持時間モードで動作している間）、人検出端末機Ｔ１の制御手段１１は自機の制御機能を停止させて、時間ｔ３以降に調光待機モードで動作するものである。
【０１１０】
したがって、人検出端末機Ｔ２が人検出端末機Ｔ１に対して時間ｔ１遅れて人検出モードを開始した場合でも、人検出端末機Ｔ２より早く保持時間モードに入った人検出端末機Ｔ１は、人検出端末機Ｔ２からの点灯信号によって制御機能を停止するので、人検出端末機Ｔ１，Ｔ２の調光待機モードの開始は同じ時間ｔ３となり、人検出端末機Ｔ１，Ｔ２に対して所望の動作を行うことができる。また、人検出端末機Ｔ１が人検出端末機Ｔ２に対して遅れて人検出モードを開始した場合には、人検出端末機Ｔ１，Ｔ２の各動作が入れ替わるだけで上記同様の動作を行う。
【０１１１】
上記本実施形態によれば、同一グループに人検出端末機を２台以上設定することが可能となり、機能の向上を図ることができる。
【０１１２】
【発明の効果】
請求項１の発明は、負荷と、負荷に通信媒体を介して接続された複数の端末機とを備え、前記端末機は、宛先の負荷を示すアドレス情報及び制御内容を示す制御情報を含む制御信号を負荷に送信し、且つ自機以外から負荷への制御信号を受信する通信手段と、前記アドレス情報を記憶しているアドレス記憶手段と、自機以外から負荷への制御信号を参照して自機の動作を判断する判断手段と、前記判断手段の判断結果に基づいて自機の動作を制御する制御手段とから構成されるので、親機不在のシステムを実現することができ、さらに負荷を制御する入力端末機には一意（ユニーク）のアドレスが不要であるので、アドレスを純粋に負荷の台数に割り当ててシステムのリソースを無駄に消費することがない。また、アドレス空間を小さく設定でき、通信信号自体を短く構成することができるので、通信速度を遅くしてもよく、通信手段のコストを低減させることができる。さらにシステムの規模の大小を問わずコストパフォーマンスの高いシステムを実現することができるという効果がある。
【０１１３】
請求項２の発明は、照明負荷と、照明負荷に通信媒体を介して接続された複数の端末機とを備え、前記端末機は、宛先の照明負荷を示すアドレス情報及び制御内容を示す制御情報を含む制御信号を照明負荷に送信し、且つ自機以外から照明負荷への制御信号を受信する通信手段と、前記アドレス情報を記憶しているアドレス記憶手段と、自機以外から照明負荷への制御信号を参照して自機の動作を判断する判断手段と、前記判断手段の判断結果に基づいて自機の動作を制御する制御手段とから構成されるので、照明負荷の出力制御において、請求項１と同様の効果を奏する。
【０１１４】
請求項３の発明は、請求項２において、前記端末機は、外部の明るさを検出する明るさ入力手段を備え、前記制御手段は、前記明るさ入力手段の検出結果に基づいて照明負荷の出力を制御する明るさ制御を行うので、明るさ制御機能付端末機を用いる際に、明るさ制御機能付端末機による通信トラフィックへの悪影響を排除することができて、システムのパフォーマンスを向上させることができ、ユーザの意図した動作を行うことができるという効果がある。
【０１１５】
請求項４の発明は、請求項３において、照明負荷の点灯または消灯を指示する制御情報が定義されており、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が照明負荷の消灯を指示するものであれば自機からの明るさ制御を停止すると判断し、照明負荷の点灯を指示するものであれば自機からの明るさ制御を行うと判断するので、照明負荷を点灯，消灯させるスイッチ端末機を組み合わせた場合でも、明るさ制御機能付端末機による通信トラフィックへの悪影響を排除することができて、システムへのパフォーマンスを向上させることができ、ユーザの意図した動作を行うことができるという効果がある。
【０１１６】
請求項５の発明は、請求項３において、照明負荷を所定の調光レベルにする調光制御を指示する制御情報が定義されており、前記端末機は、明るさ制御の目標値を記憶する目標値記憶手段を備えて、前記制御手段は、前記明るさ入力手段の出力が前記目標値に一致するように明るさ制御を行い、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光制御を指示するものであれば、調光制御で指示された調光レベルを前記目標値に設定すると判断するので、照明負荷のシーン再生を行うスイッチ端末機を組み合わせた場合でも、明るさ制御機能付端末機による誤動作を防止することができて、ユーザの意図した動作を行うことができるという効果がある。さらに、明るさ制御機能付端末機が行う明るさ制御の目標値を設定する専用機器が不要となる。
【０１１７】
請求項６の発明は、請求項２において、前記端末機は、人の存在を検出する人検出手段と、前記人検出手段が人の存在を検出しなくなってからの経過時間をカウントするタイマ手段とを備え、前記制御手段は、前記人検出手段が人の存在を検出をしている間、及び人の存在を検出しなくなってから前記タイマ手段のカウント値が所定の値に達するまでの間は照明負荷を点灯させ、前記タイマ手段のカウント値が所定の値に達すると照明負荷を消灯させるので、人検出機能付端末機を用いる際に、人検出機能付端末機による誤動作を防止することができて、ユーザの意図した動作を行うことができるという効果がある。
【０１１８】
請求項７の発明は、請求項６において、照明負荷を所定の調光レベルにする調光制御を指示する制御情報が定義されており、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光制御を指示するものであれば、前記タイマ手段のカウント動作を停止して調光制御を行うと判断するので、照明負荷のシーン再生を行うスイッチ端末機を組み合わせた場合でも、シーン再生中に人検出機能付端末機による不意の消灯という誤動作を防止することができて、ユーザの意図した動作を行うことができるという効果がある。
【０１１９】
請求項８の発明は、請求項６において、照明負荷の調光レベルの上昇，下降を指示する制御情報が定義されており、前記端末機は、前記タイマ手段のカウンタ値をクリアするリトリガ手段を備え、前記判断手段は、前記通信手段が受信した自機以外から照明負荷への制御信号のアドレス情報が自機のアドレス記憶手段に記憶されているアドレス情報を含み、且つ前記通信手段が受信した自機以外から照明負荷への制御信号の制御情報が調光レベルの上昇または下降を指示するものであれば、前記タイマ回路のカウント値をクリアすると判断するので、調光レベルを制御するスイッチ端末機を組み合わせた場合でも、調光レベル調整中に人検出機能付端末機による不意の消灯という誤動作を防止することができて、ユーザの意図した動作を行うことができるという効果がある。
【０１２０】
請求項９の発明は、請求項６において、前記制御手段は、前記人検出手段が人の存在を検出している間は、他の端末機に対して前記タイマ手段のカウント値をリセットさせる信号を前記通信手段を介して出力するので、同一グループに人検出端末機を２台以上設定することができ、機能の向上を図ることができるという効果がある。
【０１２１】
請求項１０の発明は、請求項６において、前記制御手段は、制御する照明負荷の調光レベルを記憶する調光レベル記憶手段を備え、前記人検出手段が人の存在を検出している間は、前記調光レベル記憶手段に記憶している調光レベルに照明負荷を制御する調光信号を前記通信手段を介して照明負荷、及び他の端末機に対して出力し、他の端末機は前記調光信号を受信するとタイマ手段のカウント値をリセットするので、照明負荷の明るさ一定制御と人検知制御とを同一グループで行うことができるという効果がある。
【０１２２】
請求項１１の発明は、請求項６において、前記制御手段は、自機の人検出手段が人の存在を検出してから所定時間の間に、自機のアドレス情報を含むアドレス情報をアドレス記憶手段に記憶している他の端末機の人検出手段が人の存在を検出した場合、自機の制御機能を停止させるので、同一グループに人検出端末機を２台以上設定することができ、機能の向上を図ることができるという効果がある。
【図面の簡単な説明】
【図１】本発明の実施形態１の制御システムの構成を示す図である。
【図２】同上の制御システムの制御信号の構成を示す図である。
【図３】同上の制御システムの制御端末機の構成を示す図である。
【図４】本発明の実施形態２の照明装置の明るさ入力端末機の構成を示す図である。
【図５】同上の照明装置の明るさ制御の動作フローチャートを示す図である。
【図６】同上の照明装置の入力端末機の動作フローチャートを示す図である。
【図７】本発明の実施形態３の照明装置の入力端末機の動作フローチャートを示す図である。
【図８】本発明の実施形態４の照明装置の入力端末機の動作フローチャートを示す図である。
【図９】本発明の実施形態５の照明装置の明るさ入力端末機の構成を示す図である。
【図１０】同上の照明装置の入力端末機の動作フローチャートを示す図である。
【図１１】本発明の実施形態７の照明装置の人検出端末機の構成を示す図である。
【図１２】同上の照明装置の人検出制御の動作フローチャートを示す図である。
【図１３】同上の照明装置の入力端末機の動作フローチャートを示す図である。
【図１４】本発明の実施形態８の照明装置の入力端末機の動作フローチャートを示す図である。
【図１５】本発明の実施形態９の照明装置の入力端末機の動作フローチャートを示す図である。
【図１６】本発明の実施形態１１の照明装置の構成を示す図である。
【図１７】同上の照明装置の動作を示す図である。
【図１８】従来の動作シーケンスを示す図である。
【図１９】本発明の実施形態１１の照明装置の動作シーケンスを示す図である。
【図２０】本発明の実施形態１２の照明装置の構成を示す図である。
【図２１】同上の照明装置の人検出端末機の構成を示す図である。
【図２２】同上の照明装置の動作シーケンスを示す図である。
【図２３】（ａ），（ｂ），（ｃ）同上の照明装置の信号を示す図である。
【図２４】本発明の実施形態１３の照明装置の動作シーケンスを示す図である。
【図２５】従来の制御システムの第１の構成を示す図である。
【図２６】従来の制御システムの第２の構成を示す図である。
【図２７】従来の制御システムの通信シーケンスを示す図である。
【符号の説明】
１　交流電源
２　電力線
３　メタルペアケーブル
Ｌ１〜Ｌｎ　負荷
Ｐ１，Ｐ２　負荷
Ｔ１〜Ｔｍ　入力端末機
Ｕ１　中継端末機
Ａ１〜Ａ４　アドレス
【図１】
2004063216.tif 000003
【図２】
2004063216.tif 000004
【図３】
2004063216.tif 000005
【図４】
2004063216.tif 000006
【図５】
2004063216.tif 000007
【図６】
2004063216.tif 000008
【図７】
2004063216.tif 000009
【図８】
2004063216.tif 000010
【図９】
2004063216.tif 000011
【図１０】
2004063216.tif 000012
【図１１】
2004063216.tif 000013
【図１２】
2004063216.tif 000014
【図１３】
2004063216.tif 000015
【図１４】
2004063216.tif 000016
【図１５】
2004063216.tif 000017
【図１６】
2004063216.tif 000018
【図１７】
2004063216.tif 000019
【図１８】
2004063216.tif 000020
【図１９】
2004063216.tif 000021
【図２０】
2004063216.tif 000022
【図２１】
2004063216.tif 000023
【図２２】
2004063216.tif 000024
【図２３】
2004063216.tif 000025
【図２４】
2004063216.tif 000026
【図２５】
2004063216.tif 000027
【図２６】
2004063216.tif 000028
【図２７】
2004063216.tif 000029